(57)【要約】【課題】粉粒状製品収納用容器において、容器内部に計量スプーンを収納するための収納部を設けることにより計量スプーンが内容物に埋もれてしまうことを確実に防止し、かつ計量スプーンの持ち手部分に内容物が付着し汚損することを防止し、また、収納部にすりきり部を並設して計量作業を良好化できる粉粒状製品用容器を提供する。【解決手段】粉粒状製品用容器１０は、粉粒状の内容物を収容するため上方が開口（１０ａ）され底部が閉じた概略角筒状の容器１０であり、ブロー成形により形成されており、かつ、前記容器１０幅方向一側面１０ｂから他側面１０ｃに筒状の貫通部１２を形成して該貫通部１２により後方の部分に把手部１４を有し、前記容器１０の内部が、粉粒状の内容物を収納するための内容物収納部１６と、計量スプーン１８を収納するためのスプーン収納部２０の二つの区画に区分されており、上記区分が前記貫通部１２によって形成されている。【選択図】図１
2011105374.tif 000002
【特許請求の範囲】
【請求項１】
粉粒状の内容物を収容する、上方が開口された容器において、
前記容器は、ブロー成形により形成されており、かつ、前記容器幅方向一側面から他側面に筒状の貫通部を形成して該貫通部より後方の部分に把手部を有し、
前記容器の内部が、粉粒状の内容物を収納するための内容物収納部と、計量スプーンを収納するためのスプーン収納部の二つの区画に区分されており、
上記区分が前記貫通部によって形成されていることを特徴とする粉粒状製品用容器。
【請求項２】
前記容器の開口上端部に、当該開口上端部の断面形状を保形規制するための容器口元枠が係合されており、
前記容器口元枠には前記容器幅方向左右の枠部分を繋いで前記開口上端部を横断するようにしてすり切り部が設けられており、
前記すり切り部の下辺が直線形状又は下方向に凸形状の少なくとも一方に形成されていることを特徴とする請求項１に記載の粉粒状製品用容器。
【請求項３】
前記貫通部の後方の把手部内空間が前記スプーン収納部になっていることを特徴とする請求項１または２に記載の粉粒状製品用容器。
【請求項４】
前記内容物収納部とスプーン収納部の各区画は、貫通部の下方で連通していることを特徴とする請求項１ないし３うちの一項に記載の粉粒状製品用容器。
【発明の詳細な説明】
【技術分野】
【０００１】
本発明は粉粒状製品用容器に関する。
【背景技術】
【０００２】
粉粒状の内容物を計量して使用する衣料用洗濯洗剤や自動食洗機用洗剤等を収納する代表的な容器としては、箱状の容器と計量スプーンをセットした形態が挙げられる。
【０００３】
この形態の容器の使用方法は、箱状容器の蓋を開けて、容器内に入っている計量スプーンを取り出して、粉粒状の内容物を計量スプーンで掬い取って計量し、量りとった内容物を洗濯機や自動食洗機等に投入する。
【０００４】
この容器の欠点として、計量スプーンを容器内に入れて保管するので、繰り返して使用を続けるうちにスプーンの持ち手部分が内容物で汚れて、使用時に手に内容物が付くようになることが挙げられる。
【０００５】
これに対して、実開平４−７３３３３号（特許文献１）や実用新案登録第３０１６９３１号（特許文献２）では、粉末洗剤と一緒に収納されるスプーンを外部収納または内部収納する着脱式の収納具が提案されている。
【０００６】
これらによれば、計量スプーンは内容物を収納する空間から隔離して収納可能なため、スプーンが内容物に埋もれてしまったり、持ち手部分が汚れたりすることが起こり難い。
【０００７】
しかしながら、これらの提案ではスプーンの収納具が容器本体とは別体で構成されているため、振動や落下等の外部からの衝撃により上記収納具が容器本体から脱落する虞があり、また、収納具自体が一つの箱状の容器体の形状を有するため、樹脂使用量の増加分が大きく、環境やコストへ与える影響が大きいという問題点がある。
【０００８】
なお、収納容器の計量スプーンに関する先行技術として、実開平１−１６４１３１号（特許文献３）では、計量スプーンの掬った調味料を一定にすりきるすりきり板を箱内にはめ込んだ調味料入れが示されている。この調味料入れの場合、すりきり板には、一部に丸みをもたせている。
【０００９】
また、特許第４２２６７２７号（特許文献４）では、スプーンを容器本体内に収納するのに、すりきり部でのスプーン設置箇所を支点として、スプーン先端が上方へ回動するのをフランジ部で規制する調味料収納容器が開示されている。
【００１０】
これら特許文献３〜４開示の技術では、計量スプーン専用の収納部が設けられていないものである。
【００１１】
一方、計量スプーンを保持する構造に関し、出願人は、既に特開２００５−１９３９０８号（特許文献５）、特開２００６−３３５３７８号（特許文献６）、特許第３７５６５０８号（特許文献７）によって提案している。これらいずれの提案も計量スプーンが内容物に埋没することを防止できるが、一層確実に樹脂使用量を少なくして計量スプーンの埋没および汚れ防止を図る技術の提案が要請されていた。
【先行技術文献】
【特許文献】
【００１２】
【特許文献１】実開平４−７３３３３号公報
【特許文献２】実用新案登録第３０１６９３１号公報
【特許文献３】実開平１−１６４１３１号公報
【特許文献４】特許第４２２６７２７号公報
【特許文献５】特開２００５−１９３９０８号公報
【特許文献６】特開２００６−３３５３７８号公報
【特許文献７】特許第３７５６５０８号公報
【発明の概要】
【発明が解決しようとする課題】
【００１３】
本発明は、上記の実情に鑑み、粉粒状製品を収納するための容器において、容器内部に計量スプーンを収納するための収納部を設けることにより計量スプーンが内容物に埋もれてしまうことを確実に防止し、かつ計量スプーンの持ち手部分に内容物が付着し汚損することを防止し、また、収納部にすりきり部を並設して計量作業を良好化できる粉粒状製品用容器を提供する。
【課題を解決するための手段】
【００１４】
本発明は粉粒状製品用容器にかかるものである。
【００１５】
本発明は、粉粒状の内容物を収容する上方が開口された容器において、
前記容器は、ブロー成形により形成されており、かつ、前記容器幅方向一側面から他側面に筒状の貫通部を形成して該貫通部より後方の部分に把手部を有し、
前記容器の内部が、粉粒状の内容物を収納するための内容物収納部と、計量スプーンを収納するためのスプーン収納部の二つの区画に区分されており、
上記区分が前記貫通部によって形成されていることを特徴とする粉粒状製品用容器である。
【００１６】
本発明においては、前記容器の開口上端部に、当該開口上端部の断面形状を保形規制するための容器口元枠が係合されており、
前記容器口元枠には前記容器幅方向左右の枠部分を繋いで前記開口上端部を横断するようにしてすり切り部が設けられており、
前記すり切り部の下辺が直線形状又は下方向に凸形状の少なくとも一方が形成されていることが好適である。
【００１７】
また、本発明においては、前記貫通部の後方の把手部内空間が前記スプーン収納部になっていることが好適である。
【００１８】
また、本発明においては、前記内容物収納部とスプーン収納部の各区画は、貫通部の下方で連通していることが好適である。
【発明の効果】
【００１９】
本発明の粉粒状製品用容器によれば、前記容器は、ブロー成形により形成しており、かつ、前記容器幅方向一側面から他側面に筒状の貫通部を形成して該貫通部より後方の部分に把手部を有したものであり、前記容器の内部が、粉粒状の内容物を収納するための内容物収納部と、計量スプーンを収納するためのスプーン収納部の二つの区画に区分されており、上記区分が前記貫通部によって形成されているので、前記容器が二つの区画に区分されていることから、内容物が内容物収納部からスプーン収納部に入り込まず、または入り込み難く計量スプーンの持ち手が粉粒状の内容物で汚れることがない。
【００２０】
また、ブロー成形の際に把手部を成形すると区分が形成されるので１パーツで区分を含めて容器全体を成形可能であり、製造手順が少なくて済む。
【００２１】
本発明において、前記容器の開口上端部に、当該開口上端部の断面形状を保形規制するための容器口元枠が係合されて、前記容器口元枠には前記容器幅方向左右の枠部分を繋いで前記開口上端部を横断するようにしてすり切り部を設けられており、前記すり切り部の下辺が直線形状又は下方向に凸形状の少なくとも一方に形成されているものにできる。これにより、上記容器口元枠で容器断面形状を保形規制できることから容器口元に蓋をするときに密閉性を確実にすることができる。また、すり切り部によって計量スプーンをすり切れるので計量性を向上できる。
【００２２】
また、本発明において、前記貫通部の後方の把手部内空間を前記スプーン収納部にできる。これによって、前記貫通部を形成することによってそのまま前記スプーン収納部を形成でき一体成形が容易である。また、把手部側であるから使用者の手元側になり計量スプーンを取り易く便利である。
【００２３】
また、本発明において、前記内容物収納部とスプーン収納部の各区画は、貫通部の下方で連通しているものにできる。このようにすれば、計量スプーンを使用した際に計量スプーンに付いて前記スプーン収納部内に落ちたり溜まったりした粉粒状内容物が貫通部の下方の連通箇所から前記内容物収納部内に入り込ませることができるので、粉粒状内容物でスプーン収納部が汚れず、また、該内容物を最後まで使い切ることができ、無駄が生じない。
【図面の簡単な説明】
【００２４】
【図１】本発明の実施形態に係る粉粒状製品用容器の全体説明図である。（ａ）は側方から見た外観図、（ｂ）は上方からみた外観図である。
【図２】（ａ）は、図１の粉粒状製品用容器の上方からの外観図、（ｂ）は同縦断面図である。
【図３】変形例１に係る粉粒状製品用容器の側方から見た外観図である。
【図４】変形例２に係る粉粒状製品用容器の構成説明図であって、（ａ）は上方から見た図、（ｂ）は側面視図である。
【発明を実施するための形態】
【００２５】
以下、本発明の実施形態について、添付図面を参照して説明する。
【００２６】
図１〜図２は、実施形態に係る粉粒状製品容器の全体説明図である。図３は実施形態の変形例１に係る粉粒状製品用容器の外観図である。図４は実施形態の変形例２に係る粉粒状製品用容器の説明図である。
【００２７】
図１〜２に示すように、実施形態に係る粉粒状製品用容器１０は、粉粒状の内容物（洗剤や、調味料等各種粉粒状製品等）を収容するための上方が開口（開口上端部１０ａ）され底部が閉じた概略角筒状の容器１０である。前記容器１０は、ブロー成形により形成されており、かつ、前記容器１０幅方向一側面１０ｂから他側面１０ｃに筒状の貫通部１２を形成して該貫通部１２より後方の部分に把手部１４を有している。
【００２８】
そして、前記容器１０の内部が、粉粒状の内容物を収納するための内容物収納部１６と、計量スプーン１８を収納するためのスプーン収納部２０の二つの区画に区分されており、上記区分が前記貫通部１２によって形成されている。
【００２９】
具体的には、図１に示すように、特に（ｂ）で上方視するように、前記容器１０は、上方の開口１０ａから下方の底面までほぼ同一横断面形状に形成されている。
【００３０】
これによって、内容物収納部１６から内容物を計量スプーン１８によって掬い取るときに底部まで当該計量スプーン１８を届かせて無駄なく内容部物を使用しきれるようにできる。容器１０の上端開口は図示しない蓋で開閉するようになっている。
【００３１】
また、前記容器１０は、上方視するように、幅Ｗ方向に直角方向の長さ方向の前方部に内容物収納部１６が形成され、後方部に、前記内容物収納部１６の幅Ｗ１よりも狭い幅Ｗ２に把手部１４が形成されている。この把手部１４は使用者が手によって掴んで保持できる幅Ｗ２に形成されている。
【００３２】
そして、前記容器１０は、上下方向中央部に掛け渡すように、幅Ｗ方向の一側面１０ｂから他側面１０ｃに渡って中空筒状の貫通部１２が一体成形されている。貫通部１２は、粉粒状製品用容器１０の使用者が把手部１４を掴んだ際に、手指を挿入して、確実かつしっかりと前記把手部１４を掴めるようにするためのものである。
【００３３】
そのため、図２（ｂ）に断面視するように、貫通部１２は、長円形または楕円形の外周および内周の断面形状の概略中空筒状に形成されたものである。また、貫通部１２は、前記容器１０の上下方向のほぼ中央部に形成されており、したがって、前記内容物収納部１６とスプーン収納部２０の各区画は、貫通部１２の下方で連通している。連通路を符号２２で示す。
【００３４】
前記計量スプーン１８は、使用者が摘む柄１８ａと内容物を掬い取るための椀状の凹みが形成された計量部１８ｂとで一体形成されており、樹脂製でも紙製でも材質は種々に選択使用できる。
【００３５】
前記スプーン収納部２０は、前記把手部１４内部と貫通部１２の後方に形成される空間が該当し、当該スプーン収納部２０の内部形状や寸法は少なくとも計量スプーン１８の計量部１８ｂを下方にして差し込んでも底部に達するものに形成されている。
【００３６】
前記容器１０は、ブロー成形によって形成されるものであって、左右割のブロー金型が好ましい。前記容器１０の材質はポリエチレン、ポリプロピレンなどを使用することができる。
【００３７】
上記実施形態の粉粒状製品用容器の他に、図３に示す変形例１のように、前記容器１０の開口上端部１０ａに、当該開口上端部１０ａの断面形状を保形規制するための容器口元枠２４が係合する構成にできる。
【００３８】
前記容器口元枠２４には、前記容器１０幅方向左右の枠部分２４ａを繋いで前記開口上端部１０ａを横断するようにしてすり切り部２４ｂがブリッジ状に設けられている。
【００３９】
前記容器口元枠２４は、その横断面が下開きのコの字形状を呈し、下開きの箇所を容器１０の上端部１０ａの縁部を挟むようにして嵌合させる構造である。もちろん他の形状でも容器１０上端部１０ａに固定できる。例えば平坦にして接着や溶着で固定できる。
【００４０】
前記すり切り部２４ｂの下辺は、直線形状箇所２４ｂ１と下方向に凸形状箇所２４ｂ２が形成されているものである。
【００４１】
前記容器口元枠２４の材質は、容器１０と同じでも異なっても良く、ポリエチレン、ポリプロピレンなどを使用することができる。
【００４２】
前記実施形態の粉粒状製品用容器１０によれば、容器１０は、ブロー成形により形成しており、かつ、前記容器１０幅方向一側面１０ｂから他側面１０ｃに筒状の貫通部１２を形成して該貫通部１２より後方の部分に把手部１４を有したものであり、前記容器１０の内部が、粉粒状の内容物を収納するための内容物収納部１６と、計量スプーン１８を収納するためのスプーン収納部２０の二つの区画に区分されており、上記区分が前記貫通部１２より形成されているので、前記容器１０が二つの区画に区分されていることから、内容物が内容物収納部１６からスプーン収納部２０に入り込まず、または入り込み難く計量スプーン１８が粉粒状の内容物で汚れることがない。
【００４３】
また、ブロー成形の際に把手部１４を成形するだけで区分が形成されるので１パーツで区分を含めて容器１０全体を成形可能であり、工作手順が少なくて済む。
【００４４】
実施形態の容器において、前記容器１０の開口上端部１０ａに、当該開口上端部１０ａの断面形状を保形規制するための容器口元枠２４が係合されて、前記容器口元枠２４には前記容器１０幅方向左右の枠部分を繋いで前記開口上端部１０ａを横断するようにしてすり切り部を設けられており、前記すり切り部の下辺が直線形状又は下方向に凸形状の少なくとも一方に形成されているものにできる。これにより、上記容器口元枠２４で容器１０断面形状を保形規制できることから容器１０口元に蓋をするときに密閉性を確実にすることができる。
【００４５】
また、容器口元枠２４のすり切り部２４ｂによって計量スプーン１８をすり切れるので計量性を向上できる。
【００４６】
また、実施形態においては、前記貫通部１２の後方の把手部１４内空間が前記スプーン収納部２０にできる。これによって、前記貫通部１２を形成することによってそのまま前記スプーン収納部２０を形成でき一体成形が容易である。また、把手部１４側であるから使用者の手元側になり計量スプーン１８を取り易く便利である。
【００４７】
また、前記内容物収納部１６とスプーン収納部２０の各区画は、貫通部１２の下方で連通しているものしている。この構成により、計量スプーン１８を使用した際に計量スプーン１８に付いて前記スプーン収納部２０内に落ちたり溜まったりした粉粒状内容物が貫通部１２の下方の連通路（連通箇所）２２から前記内容物収納部１６内に入り込ませることができるので、粉粒状内容物でスプーン収納部２０が汚れず、また、該内容物を最後まで使い切ることができ、無駄が生じない。
【００４８】
なお、上記実施形態では、容器１０の形状を概略角筒形状に限られず、概略円筒形状にするなど種々に形成できる。また、貫通部１２は左右側面に露出する部分に緩やかに面取りするなどの種々に形成できる。
【００４９】
例えば図４の実施形態の変形例２に係る粉粒状製品用容器は横断面形状が略楕円形状であって、貫通部１２が左右の広がった鼓状に形成されているように構成しているものも本発明の範囲内である。
【産業上の利用可能性】
【００５０】
本発明の粉粒状製品用容器は、粉粒状の内容物として、衣料用洗濯洗剤や自動食洗機用洗剤等の洗剤や、塩、砂糖、合成や化学調味料等の食品の粉粒状製品を収納する箱状の容器に計量スプーンを併せて収納する容器として利便性良く利用することができる。
【符号の説明】
【００５１】
１０  容器
１０ａ  開口上端部
１０ｂ  容器の一側面
１０ｃ  容器の他側面
１２  貫通部
１４  把手部
１６  内容物収納部
１８  計量スプーン
１８ａ  計量スプーンの柄
１８ｂ  計量スプーンの計量部
２０  スプーン収納部
２２  連通路
２４  容器口元枠
２４ａ  容器幅方向左右の枠部分
２４ｂ  すり切り部
２４ｂ１  すり切り部の直線形状箇所
２４ｂ２  すり切り部の凸形状箇所
Ｗ１  容器の内容物収納部の幅
Ｗ２  容器のスプーン収納部の幅
【図１】
2011105374.tif 000003
【図２】
2011105374.tif 000004
【図３】
2011105374.tif 000005
【図４】
2011105374.tif 000006